(57)【要約】      （修正有）【課題】貯水還元型緑化パレットに関し、屋上やベランダ等の人工植生基盤への緑化工事において、全体の重量が軽く、施工が速く、根活着により風に対して強く、移設・撤去が容易になり、保水性に富み、灌水作業が省力化できる。【解決手段】周壁2を有するトレー体1の内底に複数の補強筋リブ3を成形すると共に、その周壁2の高さH′方向の中間部位に複数の余水排水口4を設け、トレー体の内底から排水口4の近くまでの高さを顆粒保水材とその上に敷き込んだ石綿によって貯水・保水層11とし、当該貯水・保水層の表面からトレー体の開口面の高さまでにポーラスコンクリートを打設して根部の生育層6とし、当該根部生育層の表面からトレー体開口面の高さまで又はそれ以上を植物の発芽・発根層7し、トレー体の外底部に適度の高さを有する糸底8を成形して断熱層9を成形した貯水還元型軽量緑化パレット。【選択図】図２
2005224199.tif 000002
【特許請求の範囲】
【請求項１】
周壁(2)を有するトレー体(1)の内底に複数の補強筋リブ(3)を成形すると共に、その周壁(2)の高さ(H′)方向の中間部位に複数の余水排水口(4)を設け、トレー体の内底から排水口(4)の近くまでの高さ(h1)を顆粒保水材(11′)とその上に敷き込んだ石綿(11″)によって貯水・保水層(11)とし、当該貯水・保水層の表面からトレー体の開口面の高さ(h2)までにポーラスコンクリートを打設して根部の生育層(6)とし、当該根部生育層の表面からトレー体開口面の高さ(h3)まで又はそれ以上を植物の発芽・発根層(7)し、トレー体の外底部に適度の高さ(h4)を有する糸底(8)を成形して断熱層(9)を成形したことを特徴とする貯水還元型軽量緑化パレット。
【請求項２】
方形の隅角(R)を小径の曲率で丸め、複数のトレー体(1)を基盤(B)の上に縦列と横列に並べてその交差角部の隙間(S)に木ねじ・釘等の軸状止め具(16)を挿入して基盤(B)に差し込んでトレー体を基盤(B)に固定した請求項１記載の貯水還元型軽量緑化パレット。
【請求項３】
トレー体(1)の底部に非腐敗性の顆粒保水部材(11′)を底部補強リブ(3)の高さ内に納まる程度で敷き込み、且つその上に不織布原料となる石綿顆粒(11″)を敷き込み押圧板で圧迫して保水層(11)を成形し、その保水層の平面からトレー開口面(1′)までの高さ(H″)でポーラスコンクリート用セメントスラリーを流しだ後、そのセメントスラリー層平面(121)の全体を押圧板を介して圧迫することによってトレー本体開口面(1′)より少し下位の高さ(h3)にある傾斜突条片(10)の上面まで押し下げて固化して軽量ポーラスコンクリート製根部育成層(12)を成形し、且つ当該根部育成層の上から開口面(1′)までの高さ(h3)に客土を詰め込んで植物の発芽・発根層(7)を成形し、前記の貯水・保水層(11)から吸い上げた余剰水を根部成育層(6)の下部付近に位置する周壁(2)の排水口(4)から排水させ、且つ当該根部育成層の上から開口面(1′)まで又はそれ以上の高さに客土を詰め込んで植物の発芽・発根層(4)を成形したことを特徴とする貯水還元型緑化パレットの製造方法。
【発明の詳細な説明】
【技術分野】
【０００１】
本発明は貯水還元緑化パレットに関するもので、屋上やベランダ、壁面・屋内などの人工植生基盤への緑化工事において、単位パレットの全体重量が軽く、且つ施工が速く、根活着により風に対して強く、移設・撤去が容易になり、保水性に富むことによって灌水作業が省力化できるようにしたことを目的とする。
【背景技術】
【０００２】
従来の埴生基盤築造にあっては、植物を育成させるのに必要な水を基盤に保水させると建築物への荷重が多大になり，建築基準法の積載荷重として安全性を確保すると植物が利用できる水の確保（埴栽基盤としての構成は固層４０％、液３０％、気層３０％）が困難だった。
【０００３】
また、植物を健全に育成するために潅水や根の更新作業が省力化できなかった。さらには防水工事の更新時には撤去・再築造に多大な費用を要していた。
【特許文献１】特開平０７−７４５０６号公開特許公報
【特許文献２】特開平１０−２５７５３号公開特許公報
【特許文献３】特開平１１−３５３８２号公開特許公報
【特許文献４】特開２０００−３０９９３０号公開特許公報
【特許文献５】特開２００２−３３５７４８号公開特許公報
【特許文献６】特開２００３−３２５０３８号公開特許公報
【発明の開示】
【発明が解決しようとする課題】
【０００４】
上記の特許文献１は、空隙の細いポーラスコンクリート層と、その表面に形成した空隙の粗い被覆ポーラスコンクリート層と、その空隙の粗い被覆ポーラスコンクリート層骨材間あって、セメントにより接着されたコーティング種子とから構成され、前記被覆ポーラスコンクリート層をその骨材の粒径とほぼ同じ厚さに形成した植栽用コンクリート製品である。そして、この特許文献1にあっては、予め種子がポーラスコンクリートの骨材間に接着されたコーティングされているため、灌水による流失や運搬中の衝撃などによる落下は有効に防止されるが、種子発芽以外の植物育成は目的としていない。
【０００５】
特許文献２は、透水性コンクリートベースの表面に複数のコンクリート製擬石を一体成形にて配設し、該擬石間に透水性コンクリートベースを露出させ、これを植生面とした地面覆工ブロックである。この特許文献２にあっては、擬石によって仮称効果と自然的景観が得られるが、透水性コンクリートベース全面に渡って張り芝のような植生には不向きである。
【０００６】
特許文献３は、セメントに混合する主要骨材を所定の空隙を有するパミス又はスコリアとしたポーラスコンクリートを用いて基礎とし、この基礎の上に土壌を所定厚み被覆して植生できるようにした緑化地盤構築法である。この特許文献３にあっては、透水性に優れたポーラスコンクリートとすることができ、法面・川床・堤体の緑化に優れたものができる。しかしながら、緑化地盤に灌水した場合、余剰水は地面に浸入していくものであるから、ベランダや屋上等に施工には適さない。
【０００７】
特許文献４は、屋上又はバルコニー等平屋根の覆工ブロックの表面に種子が配合された種子定着層を塗布付けした地面覆工ブロックである。この特許文献４にあっては、屋上又はバルコニー等の平屋根の覆工ブロックによって、緑化目的を有効に達成し、自然醸成効果を増進する。しかしながら、覆工ブロックの表面に種子が配合された種子定着層を塗布付けした構成であるため、張り芝や草本類の植栽には適さない。
【０００８】
特許文献５は、水分の保水・排水作用を有する空隙が形成されたポーラスセラミックス層と、このポーラスセラミックス層の上に生育した植物を含む植栽層とを備えた建造物の屋上、屋根等の緑化用植栽ユニットである。この特許文献５にあっては、従来用いられているポーラスコンクリート層を含む植栽ユニットよりも軽量で施工を容易に行うことができ、施工後のメンテナンスの省略化を図ることができる。ところが、この植栽ユニットに灌水した場合に、余剰水はすべて排出され貯水・保水しておける構造にはなっていない。
【０００９】
特許文献６にあっては、平板状のトレイ内に植物を植生させるための培土を収容配置し、その培土を団粒土及び粗骨材を主体として構成した植栽基材である。この特許文献６にあっては、植栽物を広い圃場を必要とすることなく、容易に栽培養する事ができる。また、植栽物を葡  繁茂させることができて見栄えが向上する。しかしながら、トレーの底部には多数の排水孔が設けられているため、灌水した場合の余剰水は、すべて底部から排水されてしまう。そのため、トレーは外底が平坦であるため、別部材の支持具を用いて底上げをする必要がある。
【課題を解決するための手段】
【００１０】
そこで本発明はその目的を達成し、且つ従来技術の課題を解決するために提供するものである。
【００１１】
本発明の第１は、貯水還元型緑化パレットにおいて、周壁を有するトレー体の内底に複数の補強筋リブを成形すると共に、その周壁の高さ方向の中間部位に複数の余水排水口を設け、トレー体の内底から排水口の近くまでの高さを顆粒保水材とその上に敷き込んだ石綿によって貯水・保水層とし、当該貯水・保水層の表面からトレー体の開口面より少し下位の高さまでポーラスコンクリートを打設して根部の生育層とし、当該根部生育層の表面からトレー体開口面の高さ又はそれ以上を植物の発芽・発根層し、トレー体の外底部に適度の高さを有する糸底を成形して断熱層を成形したものである。
【００１２】
本発明の第２は、第1の発明に係る貯水還元型緑化パレットにおいて、方形の隅角を小径の曲率で丸め、複数のトレー体を基盤上に縦列と横列に並べてその隣接する交差角部の隙間に木ねじ・釘等の軸状止め具を挿入して基盤に差し込んでトレー体を当該基盤に固定したものである。
【００１３】
本発明の第３は、貯水還元型緑化パレットの製造方法において、トレー体の底部に非腐敗性の顆粒保水部材を底部補強リブの高さ内に納まる程度で敷き込み、且つその上に不織布原料となる石綿顆粒を敷き込み押圧板で圧迫して保水層を成形し、その保水層の平面からトレー体開口面までの高さでポーラスコンクリート用セメントスラリーを流し込んだ後、そのセメントスラリー層平面の全体を押圧板を介して圧迫することによってトレー本体開口面より少し下位の高さにある傾斜突条片の上面まで押し下げて固化して軽量ポーラスコンクリート製根部生育層を成形し、前記の貯水・保水層から吸い上げた余剰水を根部成育層の下部付近に位置する周壁の排水口から排水させ、且つ当該根部育成層の上から開口面まで又はそれ以上の高さに客土を詰め込んで植物の発芽・発根層を成形したものである。
【発明の効果】
【００１４】
本発明は上記の構成であるから次の効果がある。すなわち、第１に植物の生育が可能であり、面の組立て及び解体が自在である。また、緑化パレット全体が軽量であり、且つ薄く、施工に優れていて踏圧に対応ができる。
【００１５】
第２に、屋上緑化等の屋外に使用した場合は、植物などの飛散防止効果があると共に、貯水による保水性が高い。
【００１６】
第３に、基盤は超軽量なものとなり、住宅の屋上の積載安全基準（木造の場合 60kg／m２）への影響は最小限に抑えられる軽量ポーラスコンクリートプレート体で形成した根部育成層がトレー体との間の貯水還元部となり、貯水させた水を植物に吸水させ再利用するので乾燥期の潅水作業を省力化することができる。
【００１７】
第４に、軽量ポーラスコンクリートプレート体が根部育成層とトレー体との間に貯水還元層を形成し、貯水させた水を植物に吸水させて再利用するので乾燥期の灌水作業を省力化する。また、施肥等の行為後の余剰成分は貯水層に残留し、施肥など植物根部への更新作業を省力化させることができる。
【００１８】
第５に、トレー体内の透水性・吸引層が軽量ポーラスコンクリート（有機材混入）で成形されているので、そのまま植物の根部育成層となり、育成植物の風圧による転倒防止に寄与する。
【００１９】
第６に、軽量ポーラスコンクリート製の根部育成ブロックの底部形状による貯水還元層の貯水はその断熱・放熱効果によりヒートアイランド現象を抑制することができる。
【００２０】
第７に、トレー体周壁の排水口（オーバーフロー）により、余剰水を排出するので、屋上やベランダなど人工基盤への荷重軽減となる。
【００２１】
第８に、ポーラスコンクリートプレート体による根部育成層からは、長期間カルシウムイオンが溶出するので当該根部育成層を通過した水をアルカリ化させることができ、これにより、酸性雨を中和させるので、植物などへ再利用が可能となり、健全な水環境となる。
【００２２】
第９に、ポーラスコンクリート製の根部育成緑化パレットを並べるだけなので、追加・変更施工も十分可能である。またコンクリートは珪藻土の骨材を用いているため、細部の加工（のこぎり等による切断）が容易である。このことにより施工の低コスト化が図れる。
【００２３】
第１０に、トレー体周壁の排水口は根部成育層の下部付近に設けられ、且つ余剰水は確実に排出されるから、発芽・発根層ポーラスコンクリープレート体の根部育成層に侵入した根が腐るような恐れが除去される。
【発明を実施するための最良の形態】
【００２４】
次に本発明を実施するための最良の形態について説明する。
【実施例１】
【００２５】
図において、１は四方に周壁２を一体に成形した方形のトレー体であり、例えば長さＬ＝600.0mm、幅Ｗ＝300.0ｍｍ、全高Ｈ＝41.0ｍｍに設定したものを示す。また、各隅角部は所定の半径R（例えば10.0mm）で弧状に成形してある。３はトレー体１の内底及び外底に方形の升目状に成形した補強筋リブであり、方形の対角方向に×状に成形した補強筋リブ３′と組み合わせてある。４は周壁２の高さH′＝35.5ｍｍの中間部位に設けた複数の余水排水口であり、高さｌ=10.0ｍｍ、幅ｗ=3.0ｍｍに設定してある。５はトレー体１の内底から排水口４の近くまでの高さｈ1に形成した貯水・保水層、６は貯水・保水層の表面からトレー体平面より少し下位の高さｈ2に形成した根部の生育層、７は前記根部生育層の表面からトレー体平面の高さｈ3に形成した発芽・発根層、８はトレー体１の外底部に適度の高さ(ｈ4)に成形した糸底であり、これによって断熱層９及び排水経路９′が形成されている。１０はトレー体１の周壁内面の高さ方向に成形した補強の役目をする傾斜突条片であり、その角度θは約75度に設定してある。
【００２６】
１１はトレー体１の貯水・保水層となる内底部位に敷き込んだ所定厚さの非腐敗質の不織布及び保水性の顆粒体、１２は根部育成層６を形成する軽量ポーラスコンクリートプレート体であり、その外形はトレー体１の開口内側よりやや小さく成形し、且つ開口から底部近くの傾斜突条片１０に接するまでポーラスコンクリート用のスラリーを打設し、硬化したときにそのプレート体の底部１２２が不織布１１に接し、平面１２１はトレー体１の開口面より少し下位の高さｈ3に位置するように配置してある。１３はトレー体１の長さＬの中央部において幅Ｗ方向に成形した仕切体であり、その仕切体の中央に伸縮防止用の深い凹条溝１４が設けられている。なお、この仕切体１３及び凹条溝１４はトレー体１を全長Ｌの半分に切断して使用する際における切断個所となる。
【００２７】
１６は木ねじ・釘等の軸状止め具であり、複数のトレー体１を基盤Ｂの上に縦列と横列に並べてその弧状交差角部の隙間Ｓに挿入して基盤Ｂに差し込んで1度に4個のトレー体１を当該基盤に固定するように成っている。１７は軸状止め具１３でトレー体を固定する際の座金その他の補強当て具を示す。
【００２８】
「具体的な施工例」  上記構成による具体的な施工例について説明する。
(1)  トレー体１の貯水・保水層５となる内底部に非腐敗質の不織布１１を所定の厚さで敷き込み、これを転圧しておく。
(2)  軽量ポーラスコンクリート用のスラリーをトレー体１の根部生育層６となる部位に流し込み、その平面が開口面と面位置になるまで充填する。
(3)   トレー体１の開口内に入る押圧板（図示省略）をトレー体内に充填したスラリーの平面に載置して圧迫を加えて傾斜突条片１０の上面に接するまで押し下げる。
(4)  トレー体１の傾斜突条片１０の上面から開口面２までの発芽・発根層７となる部位に植生用客土を詰めて客土層１５を形成してこれに播種または芝張りもしくは苗木を植え込む。
(5)  この状態で貯水還元型軽量緑化パレットＰを屋上やベランダなどの防水床面上に並べて置く。次いで、客土表面に灌水すると、軽量ポーラスコンクリート１２に浸透する。そして灌水は不織布１１に浸透して貯水ないし保水される。この場合、灌水量が多すぎたり、降雨によって不織布１１を含めた貯水・保水層５で貯水しきれない余分の水は排水口４から外部に排出される。
(６)  播種された発芽や張られた芝の発根は、スラリーが硬化して根部育成層６を形成する軽量ポーラスコンクリートプレート体１２の空隙に根が張られていく。
(7)  トレー体１の中に行う灌水は、１０リットル／１m2程度の貯水量が確保できるが、乾燥時で当たり１８kg／１m2、湿潤時で２９kg／１m2程度となり、貯水還元型軽量緑化パレットＰの全体が軽量化となる。
(8)  このトレー体１を屋上庭園となる目的の場所に運び上げ、屋上のコンクリート面の上に基盤Ｂを敷き込み、その上に必要個数のトレー体を縦横に並べ、且つその交差隅角の部の隙間に補強当て具１７が付いている木ねじ１６を挿入して基盤Ｂにねじ込み、且つ補強当て具を介してトレー体を基盤Ｂに固定する。これによって、屋上における突風などの強い風によってトレー体の浮き上がりや位置ずれ又は吹き飛ばされたりする危険を防止する。
【産業上の利用可能性】
【００２９】
本発明に係る貯水還元型軽量緑化パレットをベースとして、比較的深底型を成す箱体の中に複数個設置し、そのパレット平面上に植栽用客土層を分厚く形成して草木類や樹木を植栽し、その箱体をビルやマンションなどの屋上・ベランダなどの防水床面に適宜配置することによって移設可能な造園緑化が実現できる。
【図面の簡単な説明】
【００３０】
【図１】本発明に係る貯水還元型軽量緑化パレットのトレー体の平面図（左半分）及び底面図(右半分)である。
【図２】図１の２−２線に沿う断面図（左半分）及び正面図（右半分）である。
【図３】図２の左端部を示す拡大断面図である。
【図４】図２の中間部を示す拡大断面図である。
【図５】図３のトレー体に貯水・保水層及び根部生育層並びに発芽・発根層を形成した断面図である。
【図６】図４のトレー体中間部に貯水・保水層及び根部生育層並びに発芽・発根層を形成した断面図である。
【図７】発芽・発根層に張り芝したトレー体を縦列と横列に並べた状態の概略平面図である。
【図８】図７の８―８線に沿う断面矢視図である。
【符号の説明】
【００３１】
１……トレー体
２……周壁
３……補強筋リブ
４……余水の排水口
５……貯水・保水層
６……根部生育層
７……発芽・発根層
８……糸底
９……断熱層
１０……傾斜突条片
１１……起立片装入用切込み溝
１２……軽量ポーラスコンクリート
１３……仕切体
１４……凹条溝
１５……軸状止め具
１６……補強当て具
【図１】
2005224199.tif 000003
【図２】
2005224199.tif 000004
【図３】
2005224199.tif 000005
【図４】
2005224199.tif 000006
【図５】
2005224199.tif 000007
【図６】
2005224199.tif 000008
【図７】
2005224199.tif 000009
【図８】
2005224199.tif 000010